(57)【要約】【課題】記録ユニットに備えられている記録ヘッドの本数が増減した場合や記録ヘッドの色構成が変化した場合、さらに記録ユニットを交換した場合にユーザがヘッド本数やヘッド色構成を考慮することなくレジストレーション調整を行う。【解決手段】情報処理装置から、複数の記録ユニットの台数および配置情報、ならびに、各記録ユニットの内蔵する記録ヘッドの構成情報を確認し、この確認の結果に基づいて前記複数の記録ユニットに対するレジストレーション調整用パターンを選定して前記複数の記録ユニットに対して当該レジストレーション調整用パターンを記録させる。記録されたレジストレーション調整用パターンに基づいて得られた調整値を設定する。この設定された調整値を各記録ユニットへ送信する。【選択図】図１１
2008001053.tif 000002
【特許請求の範囲】
【請求項１】
おのおの複数の記録ヘッドを内蔵した複数の記録ユニットと情報処理装置とが通信インタフェースを介して接続され、前記複数の記録ユニットを用いて同一の記録媒体に画像を形成する記録システムにおいて、
前記情報処理装置は、前記複数の記録ユニットの台数および配置情報、ならびに、各記録ユニットの内蔵する記録ヘッドの構成情報を取得する手段と、
取得された情報に基づいて、レジストレーション調整用パターンを選定して前記複数の記録ユニットに対して当該レジストレーション調整用パターンを記録させる手段と、
前記レジストレーション調整用パターンに基づいて得られた調整値を設定するためのユーザインタフェース画面を表示する手段と、
このユーザインタフェース画面で設定された調整値を各記録ユニットへ送信する手段とを備えたことを特徴とする記録システム。
【請求項２】
前記記録ヘッドの構成情報は、記録ヘッドの本数および色情報を含む請求項１記載の記録システム。
【請求項３】
前記ユーザインタフェース画面は、記録ユニット毎に確認されたヘッド色情報を表示する色表示欄と、当該記録ユニットの記録ヘッド毎の縦、横のレジ調整値を入力することができるレジ調整値表示欄を含む請求項２記載の記録システム。
【請求項４】
前記ユーザインタフェース画面は、記録ユニットに備えられている記録ヘッドの本数や色構成によって表示形態が異なることを特徴とする請求項１に記載の記録システム。
【請求項５】
前記ユーザインタフェース画面は、ユーザの指示操作に応じて記録ユニット毎に切り換えて表示する請求項３または４記載の記録システム。
【請求項６】
おのおの複数の記録ヘッドを内蔵した記録ユニットを複数配置し、複数の記録ユニットにより、同一の記録媒体に画像を記録する記録装置と情報処理装置とが通信インタフェースを介して接続された記録システムにおいて前記記録装置のレジストレーションを調整するレジストレーション調整方法であって、
前記情報処理装置から、前記複数の記録ユニットの台数および配置情報、ならびに、各記録ユニットの内蔵する記録ヘッドの構成情報を確認するステップと、
この確認の結果に基づいて前記複数の記録ユニットに対するレジストレーション調整用パターンを選定して前記複数の記録ユニットに対して当該レジストレーション調整用パターンを記録させるステップと、
記録されたレジストレーション調整用パターンに基づいて得られた調整値を設定するステップと、
この設定された調整値を各記録ユニットへ送信するステップと
を備えたことを特徴とするレジストレーション調整方法。
【発明の詳細な説明】
【技術分野】
【０００１】
本発明は、共通（１枚）の記録媒体、例えば大判の記録媒体に複数の記録ユニットを用いて記録を行う記録システムおよびレジストレーション調整方法に関する。
【背景技術】
【０００２】
従来、インクジェット記録方式を採用した記録ヘッドを用いて記録を行う記録装置においては、カラー記録に対応するため複数の記録ヘッドを用いている。これらの複数の記録ヘッドにより所定のテストパターンを記録しての相互の位置のずれ量を検出して調整するレジストレーション調整（レジ調整とも呼ばれる）が行われる（特許文献１参照）。
【０００３】
また、記録媒体の幅方向全体に亘って延びるいわゆるライン型の記録ヘッドを用いたインクジェット記録装置も知られている（特許文献２参照）。
【特許文献１】特開平７−３２３５８２号公報
【特許文献２】特開２００４−１０６３５９号公報
【発明の開示】
【発明が解決しようとする課題】
【０００４】
しかしながら、共通の記録媒体、例えば大判の記録媒体に複数の記録ユニットを用いて共通(１枚)の記録媒体に記録を行う記録システムにおいて、記録ユニットの寿命が到来し新しい記録ユニットと交換する場合や、記録ヘッドの色構成を黒だけの色構成からフルカラーの色構成に変えた場合では、新しく設置した記録ユニットのレジ調整を行うために、新しく設置した記録ユニットの記録ヘッド本数情報や記録ヘッドの色構成情報が変わる場合があった。
【０００５】
このような場合、レジ調整を行うために、記録ヘッドの本数や記録ヘッドの色構成をユーザが確認し、確認結果に対応したレジ調整を行う必要があった。そのため、システム構成に習熟していないユーザにはそのような作業は繁雑であり、レジ調整に時間がかかるという問題があった。
【０００６】
本発明は、このような背景においてなされたものであり、記録ユニットに備えられている記録ヘッドの本数が増減した場合や記録ヘッドの色構成が変化した場合、さらに記録ユニットを交換した場合にユーザがヘッド本数やヘッド色構成を考慮することなくレジ調整を行うことを可能にすることを目的とする。
【課題を解決するための手段】
【０００７】
本発明による記録システムは、おのおの複数の記録ヘッドを内蔵した複数の記録ユニットと情報処理装置とが通信インタフェースを介して接続され、前記複数の記録ユニットを用いて同一の記録媒体に画像を形成する記録システムにおいて、前記情報処理装置は、前記複数の記録ユニットの台数および配置情報、ならびに、各記録ユニットの内蔵する記録ヘッドの構成情報を取得する手段と、取得された情報に基づいて、レジストレーション調整用パターンを選定して前記複数の記録ユニットに対して当該レジストレーション調整用パターンを記録させる手段と、前記レジストレーション調整用パターンに基づいて得られた調整値を設定するためのユーザインタフェース画面を表示する手段と、このユーザインタフェース画面で設定された調整値を各記録ユニットへ送信する手段とを備えたことを特徴とする。
【０００８】
複数の記録ユニットに対してレジストレーション調整を行う際、情報処理装置は、前記複数の記録ユニットの台数および配置情報、ならびに、各記録ユニットの内蔵する記録ヘッドの構成情報を取得する。この取得した構成情報に基づいて当該構成に適したレジストレーション調整用パターンを選定することができる。このパターンを前記複数の記録ユニットに対して当該レジストレーション調整用パターンを記録させる。さらに、記録されたレジストレーション調整用パターンに基づいて得られた調整値を設定するためのユーザインタフェース画面を表示する。ユーザインタフェース画面で設定された調整値を各記録ユニットへ送信する。これにより、以降の各記録ユニットの調整値が更新され、以降の記録時に、更新された調整値に応じたレジストレーション調整が行われる。
【発明の効果】
【０００９】
本発明によれば、おのおの複数の記録ヘッドを内蔵した複数の記録ユニットと情報処理装置とが通信インタフェースを介して接続され、前記複数の記録ユニットを用いて同一の記録媒体に画像を形成する記録システムにおいて、各々の記録ユニットからヘッド構成情報を取得することで、記録ユニット交換時や、記録ユニットのヘッド構成が変化した場合でもユーザが各記録ユニットの記録ヘッドの構成を考慮することなくレジ調整設定を行うことができる。
【発明を実施するための最良の形態】
【００１０】
以下、本発明の好適な実施の形態について図面を参照しながら詳細に説明する。
【００１１】
図１は、本実施の形態における記録システムの概略構成を示している。この記録システムは、記録すべき情報を生成する情報処理装置１００と、この情報を記録媒体上に記録する記録装置２００とにより構成される。情報処理装置１００は通信インタフェース１０１を介して記録装置２００と接続されている。
【００１２】
情報処理装置１００は、複数の記録ユニットに対する記録データを生成し、生成した記録データを記録ユニット２０Ａ、…２０Ｆに転送するＰＣ等の情報処理装置である。以下、記録ユニット２０Ａ、…２０Ｆを総称するときは記録ユニット２０という。
【００１３】
通信インタフェース１０１は、ＵＳＢ（ユニバーサルシリアルバス）、ＩＥＥＥ１３９４、Ｅｔｈｅｒｎｅｔ（登録商標）（１０／１００／１０００ＢａｓｅＴ）などの、情報処理装置１００に記録装置２００が接続可能な任意のインタフェースである。本実施の形態では、有線タイプの通信インタフェース１０１を使用しているが、無線ＬＡＮ等の無線タイプの通信インタフェース１０１でも同様の効果が得られる。また、ネットワークやＵＳＢなどの場合に、情報処理装置１００と各記録ユニット２０を接続するうえでＨＵＢを介しても同様の効果が得られる。
【００１４】
記録装置２００は、複数（ｎ）台の記録ユニット２０Ａ、…２０Ｆを有し、これらの記録ユニットに共通の搬送装置２２０を備えている。搬送装置２２０は、記録媒体を１枚ずつピックアップする給紙部２２３、このピックアップされた記録媒体を記録ユニットまで搬送する搬送部２２４および記録ユニットから記録済みの記録媒体を排出する排紙部２２５を備えている。
【００１５】
情報処理装置１００はオペレーティングシステムの制御下で動作する画像生成するアプリケーション、記録制御プログラム(プリンタドライバ)を有し、各記録ユニット２０のステータス監視、ヘッド位置調整、クリーニング等の記録ユニットのメンテナンスを実行する。本例においては、オペレーティングシステムとして「Ｗｉｎｄｏｗｓ（登録商標）」を用いるが、これに限るものではない。
【００１６】
また、記録ユニット２０は、寿命となり新しい記録ユニットと交換する場合や、内蔵の記録ヘッドの色構成が異なる場合には、新しく設置した記録ユニットの記録ヘッドの構成情報を取得する必要がある。
【００１７】
情報処理装置１００に記憶されている記録プログラムを起動すると、情報処理装置１００に通信インタフェース１０１を介して接続された記録ユニット２０を検索する。この検索結果に基づき、接続されている記録ユニット分に応じて、該当する記録ユニットに対しての通信ポートを開き、記録ユニットの通信リソース情報を取得し、同じ通信リソース情報が無ければ図４の通信リソース情報テーブル２３１を生成する。ここに、「通信リソース情報」とはポートの識別子やポート名、ポートのシンボル名などの通信リソースに関連した情報である。
【００１８】
図２は、情報処理装置１００の概略のハードウェア構成を示す図である。
【００１９】
情報処理装置１００は、本実施の形態では、オペレーティングシステムの制御下において、画像データを生成するアプリケーション（プログラム）や記録制御プログラム（プリンタドライバ）等を実行する。具体的には、情報処理装置１００は、情報処理装置１００の各種制御を行う制御部を構成するＣＰＵ（Central Processing Unit）１０２と、このＣＰＵ１０２用の作業領域および一時記憶領域を提供するメモリであるＲＡＭ（Random Access Memory）１０３と、ＣＰＵ１０２が初期的に実行するブートプログラム等を格納する不揮発性メモリであるＲＯＭ（Read Only Memory）１０４とはシステムバス１０９を介して相互に接続されている。表示装置であるディスプレイ１１０はビデオインタフェース１０８を介してシステムバス１０９に接続されている。操作部としてのキーボード１１２はキーボードインタフェース１０６を介してシステムバス１０９に接続されている。ポインティングデバイスの一種であるマウス１１１は、マウスインタフェース１０５を介してシステムバス１０９に接続されている。オペレーティングシステムや各種プログラムが格納されている大容量の外部記憶装置であるハードディスク装置１１３は、ハードディスクインタフェース１０７を介してシステムバス１０９に接続されている。また、システムバス１０９は通信インタフェース１０１を介して、記録装置２００と接続される。
【００２０】
情報処理装置１００において、記録装置２００を制御する場合は、ハードディスク装置１１３に格納されている制御プログラム１５０がＲＡＭ１０３にロードされてＣＰＵ１０２によって実行される。
【００２１】
本実施の形態では、後述するレジストレーション調整用のテストパターンであるレジストレーション調整用パターン７００等が、記録ユニットの構成に応じて各記録ユニットに記憶されている。あるいは、レジストレーション調整用パターンは、記録装置の異なる構成に対応して記録装置単位に情報処理装置側に別個に記憶しておいてもよい。
ハードディスク装置１１３内には、後述するユーザインタフェース画面（図９）を構成する画面データ１６０も記憶されている。また、通信リソース情報テーブル２３１、ヘッド構成情報テーブル５０１、位置情報テーブル４００を格納する領域も有する。
【００２２】
図３に、図１の記録装置２００の一部である記録ユニット２０Ａの内部構成例を示す。また、情報処理装置１００と搬送装置２２０とを併せて示す。他の記録ユニットの内部構成も同じである。
【００２３】
情報処理装置１００は、複数の記録ユニット２０Ａ〜２０Ｆ（この例では６台）に対応して分割した記録画像データを各記録ユニット２０に転送し、記録処理の開始を指示する。また、記録する記録用紙の枚数、および種類やサイズ等を指示する用紙設定コマンドを各記録ユニット２０に転送して指示することができる。
【００２４】
各記録ユニット２０は、メインコントローラ２０１を有し、このメインコントローラ２０１がＲＯＭ２０８に記憶されている制御プログラムを実行することにより以下のような制御を行う。ＲＯＭ２０８は、各種パラメータ等のデータを再書き込み可能な不揮発性の記憶領域を有してもよい。後述する補正値や調整値はこのような記憶部に保存することができる。
【００２５】
また、メインコントローラ２０１には各種のセンサを含むセンサ類２０２の出力信号が入力される。
【００２６】
記録ユニット２０は、通信ドライバ２０３により通信を制御し、情報処理装置１００からのコマンドを受信する。
【００２７】
記録ユニット２０は、受信した画像データを各色成分のイメージデータとしてＲＡＭ２１０Ｋ〜２１０Ｙのそれぞれにビットマップ展開して描画する。また、記録枚数や用紙種類等の各種パラメータの設定コマンドはＲＡＭ２１０Ｒに格納される。記録データのＲＡＭ２１０Ｋ〜２１０Ｒのそれぞれへの展開が終了すると、ヘッドユニット制御モータ２０６および回復ユニット制御モータ２０７により記録ヘッド２０９Ｋ〜２０９Ｙを記録可能位置へ移動させる。
【００２８】
各記録ユニット２０には、搬送装置２２０より入力される記録用紙を検知する用紙検知センサ２１１の信号と、同じく搬送装置２２０より入力されるエンコーダ２１２の信号に基づいて記録開始タイミングが計測され、記録開始した以降はエンコーダ２１２の信号に同期して、メインコントローラ２０１がＲＡＭ２１０Ｋ〜２１０Ｙのそれぞれから対応する色のイメージデータを順次読み出し、ヘッド駆動回路２０４を経由して、それぞれに対応する色のインクを吐出する記録ヘッド２０９Ｋ〜２０９Ｙに出力することにより記録を行う。
【００２９】
このようにして記録ヘッド２０９Ｋ〜２０９Ｙのそれぞれは、その入力された分割記録画像のイメージデータに従ってインクを吐出してカラー画像の吐出を行う。
【００３０】
図４に本実施の形態で用いる通信リソース情報テーブル２３１の構成例を示す。この通信リソース情報テーブル２３１は情報処理装置内の所定の記憶部（例えばＲＡＭやハードディスク等）に記憶される。このテーブルには、記録装置２００を構成している記録ユニットの個数である記録ユニット接続台数２３２と、各記録ユニット毎の通信リソース情報２３３とを保持している。前述したように、通信リソース情報により、ポートの識別子やポート名、ポートのシンボル名などが定められている。
【００３１】
情報処理装置１００から、各記録ユニット用に分割された記録データを転送するために、記録装置２００を構成している各記録ユニットの位置情報を各記録ユニットから情報処理装置１００へ通知する。この位置情報は位置情報テーブル４００に格納される。
【００３２】
位置情報について図５により説明する。位置情報は、行方向位置情報４０２および列方向位置情報４０３から構成され、情報処理装置１００からの要求に応じて、記録ユニット位置情報コマンド４０１とともに情報処理装置１００へ転送される。記録ユニットの行方向位置情報と列方向位置情報とは図６に示すように、複数の記録ユニットを例えば千鳥状に配置した場合の、各記録ユニットの行番号および、列番号に相当する。各記録ユニットにおいて、これらの位置情報は各記録ユニットに備えられているディップスイッチ（図３のセンサ類２０２）によって指定されている。
【００３３】
このような位置情報に基づいて、記録ユニット２０が千鳥状に配置された場合でも、情報処理装置１００で各記録ユニット２０の配置を認識することが可能となる。すなわち、列方向位置に基づいて、記録対象の画像全体のうちのどの分割画像をどの記録ユニットの記録を分担させるかが決定される。本実施の形態では、行方向位置については情報処理装置１００が認識する必要はないが、必要に応じて行方向位置を確認することができる。
【００３４】
図７は、情報処理装置１００による各記録ユニット２０のレジ調整の実行に際して、各記録ユニットに備えられている記録ヘッドのレジ調整値（設定済みであれば）を取得すると同時に、各記録ユニット２０からその記録ユニットに備えられている記録ヘッドの構成情報（本数および色情報）を取得するための処理のフローチャートである。この処理は、情報処理装置１００のハードディスク装置１１３内に記憶されている制御プログラム１５０をＣＰＵ１０２が読み出して実行することにより実現される。
【００３５】
情報処理装置１００がレジ調整を実行しようとする際、図４の通信リソース情報テーブル２３１の記録ユニット接続台数２３２を参照し、その値ｎを変数Ｎに代入し（Ｓ１１）、この接続台数ｎ分以下の処理を繰り返す（Ｓ１２）。なお、繰り返し処理は、ソートされた図４の通信リソース情報テーブル２３１を参照し記録ユニット順に処理される。
【００３６】
次に図２の通信リソース情報テーブル２３１の通信リソース情報（ポートの識別子やポート名、ポートのシンボル名等）２３３を参照し、該当する記録ユニットの通信ポートをオープンし（Ｓ１３）、その記録ユニットに備えられているヘッド本数とヘッド色構成を取得する(Ｓ１４)。
【００３７】
次に正常データ転送が実施されたか（通信エラーが発生したか）をチェックし（Ｓ１５）、正常にステータス情報が取得できた場合は、図８に示すヘッド構成情報テーブル５０１に取得した情報をセットする（Ｓ１６）。また、正常にステータス情報が取得でいなかった場合も図８に示すヘッド構成情報テーブル５０１に（どの記録ユニットと通信ができなかったかが判断出来る様に）通信エラーの情報をセットする（Ｓ１７）。
【００３８】
次に通信ポートをクローズし（Ｓ１８）、繰り返し用のカウンタである接続台数をデクリメントし（Ｓ１９）、以降同様の処理を繰り返し、全ての記録ユニット２０からステータス情報を取得し処理を終了する。
【００３９】
図７に示すヘッド構成情報取得シーケンスにより取得された情報を格納したヘッド構成情報テーブル５０１（図８）における、情報処理装置１００に接続されている全て記録ユニットのヘッド色情報５０３と、同時に取得した各記録ヘッドのレジ調整値を参照し、情報処理装置１００上で動作する記録プログラムまたはそのユーティリティプログラムにより、図９に示す様なヘッド位置調整画面６０１を表示する。ヘッド位置調整画面６０１を構成する画面データはハードディスク装置１１３またはＲＯＭ１０４内に記憶されている。
【００４０】
なお、「ヘッド位置調整」と言っても物理的に記録ヘッドの位置を調整するものではなく、ソフトウェア的に調整するものである。ヘッド構成情報テーブル５０１のヘッド色情報５０３は、記録ユニット順にソートしている為、図９のヘッド位置調整画面６０１に表示する際はヘッド色情報５０３の上から順番に表示すればよい。
【００４１】
図９のヘッド位置調整画面６０１には、記録ユニット毎にタブを用意したプロパティシート６０２を表示し、ユーザの指示操作に応じて記録ユニット毎に切り換えて表示することができる。ヘッド色情報５０３は色表示欄６０３−１〜６０３−６に表示される。本実施の形態では、最大で表示できる記録ヘッドの本数を６本に設定しているが、これに限るものではなく、５本以下または７本以上でもよい。また、記録ヘッド毎の縦、横のレジ調整値として、レジ調整値表示欄６０４−１〜６０４−６、６０５−１〜６０５−６に、ヘッド構成情報と同時に取得した記録ヘッドのレジ調整値が表示される。初期的に記録ユニットにレジ調整値が未設定の場合にはレジ調整値表示欄には何も表示されないか、デフォルト値の０が表示される。レジ調整値表示欄６０４−１〜６０４−６、６０５−１〜６０５−６ではレジ調整値を設置者やユーザが操作部からのキーボードやマウス等の操作により設定または修正することができるようになっている。
【００４２】
縦・横のレジ調整では、図１２で後述するようなレジ調整用パターン（テストパターン）７００の記録を行い、この記録結果に基づいて判明した縦・横のレジ調整値をレジ調整値表示欄６０４−１〜６、６０５−１〜６に入力設定する。
【００４３】
図１１は、各記録ユニット＃１に備えられている記録ヘッドの構成がシアン、マゼンタ、イエロー、ブラック時に表示されるヘッド位置調整画面６０１の一例を示している。タブの選択により記録ユニット＃１から他の記録ユニットへ画面を切り換えることができる。
【００４４】
図１１のヘッド位置調整画面６０１上の“ＯＫ”ボタン６０６が押下されると、各記録ユニットについて設定したレジ調整値が当該記録ユニットへ送信され、記録ユニット内の既設定の調整値が更新される。また“キャンセル”ボタン６０７が押下されると、設定したレジ調整値を記録ユニットに送信されることなくプロパティシートが閉じる。
【００４５】
また、ヘッド構成情報テーブル５０１に「通信エラー」がセットされていた場合は、ヘッド位置調整画面６０１を表示せず、図１０の表示画面７０１に例示したようなエラーメッセージを表示する。
【００４６】
ヘッド構成情報を取得すると、色表示欄６０３−１〜６０３−６にヘッド色情報から各記録ヘッドの色を表示する。色表示欄６０３−１には、１本目の記録ヘッドの色がシアンである為“Ｃ”を表示する。２本目の記録ヘッドの色はマゼンタである為、色表示欄６０３−２には“Ｍ”を表示する。３本目の記録ヘッドの色はイエローである為、色表示欄６０３−３には“Ｙ”を表示する。そして、４本目の記録ヘッドの色はブラックである為、色表示欄６０３−４には“Ｋ”を表示する。色表示欄６０３−５および色表示欄６０３−６には記録ヘッドが存在しないので表示されない。
【００４７】
縦・横のレジ調整値表示欄６０４−１、６０５−１には１本目の記録ヘッドであるシアンのレジ調整値をヘッド色情報と一緒に取得した１本目のレジ調整値を表示する。同様にレジ調整値表示欄６０４−２、６０５−２には２本目のレジ調整値を、レジ調整値表示欄６０４−３、６０５−３には３本目のレジ調整値を、レジ調整値表示欄６０４−４、６０５−４には４本目のレジ調整値を表示する。記録ヘッドが存在しないレジ調整値表示欄６０４−５、６０５−５および６０４−６、６０５−６にはレジ調整値は表示されない。
【００４８】
レジ調整用パターン７００は、ヘッド構成情報テーブル５０１のヘッド色情報５０３によって出力されるものが変わる。すなわち、ヘッド構成情報テーブル５０１に応じて記録ユニットに記憶されているヘッド構成に適したレジ調整パターンが選択的に出力され、記録される。
【００４９】
図１２は、本実施の形態で用いるレジストレーション調整用パターン７００の全体像を示し、図１３はその一部を拡大して示したものである。レジストレーション調整用パターン７００の画像データは、各記録ユニットが自己の担当するパターン部分を記憶しておきその制御プログラムで記録してもよいし、ホストコンピュータ１０１内に記憶しておいて各記録ユニットにパターンの記録を指示してもよい。
【００５０】
レジストレーション調整用パターン７００は、各記録ユニットについて、ユニット間調整部分８００、ユニット内縦レジ調整部分８０１、ユニット内横レジ調整部分８０２を含む。本明細書において、「縦」とは用紙搬送方向に沿った方向であり、「横」とは用紙搬送方向に直交する方向である。ユニット間調整部分８００は、複数の記録ユニットの基準となる記録ユニットに対する他の記録ユニットの位置関係のずれを検出するためのパターン部分である。ユニット内縦レジ調整部分８０１は、各記録ユニット内の複数の記録ヘッドのうち基準となる記録ヘッドに対する他の記録ヘッドの縦方向の位置関係のずれを検出するためのパターン部分である。ユニット内横レジ調整部分８０２は、各記録ユニット内の複数の記録ヘッドのうち基準となる記録ヘッドに対する他の記録ヘッドの横方向の位置関係のずれを検出するためのパターン部分である。
【００５１】
基本的に、レジストレーション調整用パターン７００は、基準となる記録ヘッドによって記録されたバー（基準バーという）に対して調整用の記録ヘッドによって微小にずらして記録されたバー（比較バーという）が複数組記録されたものである。
【００５２】
ユニット間調整部分８００は、隣接する記録ユニットの一方（この例では図２において右隣）のブラックヘッドを基準ヘッド、他方のブラックヘッドを比較ヘッドとし、両ヘッドの重なり合った端部の領域で分担して記録を行う。この例では、基準ヘッドで基準となる縦バーおよび横バーを搬送方向に一定間隔でずらして１７組記録するとともに、基準バーに対して比較ヘッドでずれ量０の位置および縦横正負両方向に単位量１〜８だけ順次ずらした位置に比較縦バーおよび比較横バーを記録する。比較ヘッドが基準ヘッドに対してレジストレーションが合っていれば、数値“０”の位置で縦バーまたは横バーが一致する。そうでなければ、ずれ量に応じた数値の位置でバーが一致する。
【００５３】
ユニット内縦レジ調整部分８０１は、基準ヘッド（Ｋ）で所定間隔で平行な１７本の横バー群８０１ａを４組、横方向に順次一定量ずらして記録する。さらにこれらの横バー群８０１ａの間の３個の隙間にそれぞれ比較ヘッド（Ｃ，Ｍ，Ｙ）で、横バー群８０１ａの各横バーに対応する横バーを記録する。比較ヘッドの横バーの記録時には、正負両方向に単位調整量で１〜８までずらして記録する。比較ヘッドが基準ヘッドに対して縦方向のレジストレーションが合っていれば、数値“０”の位置で横バーが一致する。縦方向のレジストレーションが合っていなければ、そのずれ量に応じた数値の位置で横バーが一致する。
【００５４】
同様に、ユニット内横レジ調整部分８０２は、基準ヘッド（Ｋ）で所定間隔で平行な１７本の縦バー群８０２ａを４組、縦方向に順次一定量ずらして記録する。さらにこれらの縦バー群８０２ａの間の３個の隙間にそれぞれ比較ヘッド（Ｃ，Ｍ，Ｙ）で、縦バー群８０２ａの各縦バーに対応する縦バーを記録する。比較ヘッドの縦バーの記録時には、正負両方向に単位調整量で１〜８までずらして記録する。比較ヘッドが基準ヘッドに対して横方向のレジストレーションが合っていれば、数値“０”の位置で縦バーが一致する。横方向のレジストレーションが合っていなければ、そのずれ量に応じた数値の位置で縦バーが一致する。
【００５５】
ヘッド構成情報テーブル５０１のヘッド色情報５０３によって出力されるものが変わるのは、ユニット内縦レジ調整部分８０１およびユニット内横レジ調整部分８０２である。
【００５６】
記録されたレジストレーション調整用パターン７００をユーザが目視により検査することにより、基準バーと一致している比較バーの位置を確認することができる。その一致している比較バーに付与されている数値が、基準バーを記録した記録ヘッド（基準ヘッド）に対して当該比較バーを記録した記録ヘッド（比較ヘッド）が本来あるべき位置からずれている量を示している。基準バーに一致した比較バーの数値が“０”であれば、その比較ヘッドは基準ヘッドに対して正しい位置にあることを意味する。
【００５７】
なお、レジストレーション調整用パターン７００はホストコンピュータからレジストレーション調整用パターン記録を指示するコマンドを送信することにより、各記録ユニットによって記録することができる。
【００５８】
記録ユニット内の複数の記録ヘッドの縦レジ調整は、上記エンコーダ２１２の出力に同期し、調整値に応じて記録ヘッドの記録タイミングをずらすことにより行うことができる。
【００５９】
記録ユニット内の複数の記録ヘッドの横レジ調整については、図示しないが、縦レジ調整用パターンを９０度回転させた関係となる調整用パターンを用いる。ライン型ヘッドの幅方向に規定のノズル数を超える調整用ノズル群を備えており、実際の横レジ調整は、求められた調整値に基づいて、利用するノズル領域（有効記録領域）をノズル列方向にずらすことにより行われる。
【００６０】
ここで、ラインヘッド型記録ユニットにおける一般的なヘッド幅方向（横方向）のレジストレーション調整について、図１４、図１５を用いて簡単に説明する。
【００６１】
一般的にライン型記録ヘッドは、記録領域幅分のノズル９０１に加えて、その左右に所定ドット数の調整用ノズル９０２を備えている。調整用ノズル９０２を含む総ノズル数は、実際に必要な記録領域幅に対応するノズル数より所定数分だけ多くなっている。したがって、左右の調整用ノズル９０２を含む記録ヘッド２０９の全ノズル列のどのノズルからどのノズルまでを実際の有効な記録領域とするかを選択的に設定することにより、記録ヘッドを物理的に移動させることなく、横方向の記録位置の調整が可能になっている。例えば、ブラック、シアン、マゼンタ、イエロー４本の記録ヘッド２０９Ａ，Ｃ，Ｍ，Ｙを搭載している場合に、各記録ヘッドの取り付け位置に図１４のようなずれが生じていた場合、図１５のように、シアンヘッド２０９Ｃ、イエローヘッド２０９Ｙの記録ノズルを変更することにより各記録ヘッドの横方向の有効記録領域が一致するように横レジを調整することができる。この機能により、各記録ユニットの実際の配置位置はラフでよい。
【００６２】
ユニット間調整は各記録ユニットの基準記録ヘッドであるブラックヘッドの横レジ調整によって行う。つまり、基準記録ユニットのブラックヘッドに対する他の記録ユニットのブラックヘッドの横レジ調整により、複数の記録ユニットの間のレジストレーション調整を行う。ただし、ブラックヘッドの横レジ調整によりブラックヘッドの記録領域を変更した場合には、そのブラックヘッドを基準として他のカラーヘッドについても連動して同じ量の横方向の調整を行う必要がある。
【００６３】
上記のようにして得られた最終的なレジストレーション調整値は、情報処理装置１００において図９に示したヘッド位置調整画面６０１からユーザにより入力される。ユニット間調整部分８００から読み取られた縦レジ調整値および横レジ調整値は、各記録ユニット内の基準ヘッド、すなわちブラックヘッドに対して入力され、ユニット内縦レジ調整部分８０１およびユニット内横レジ調整部分８０２からそれぞれ読み取られた縦レジ調整値および横レジ調整値は各記録ユニット内の各カラーヘッドに対して入力される。
【００６４】
この入力された調整値は前述したような補正が行われた後、記録装置に送られ、各記録ユニットにおいてその記憶部内の既存調整値を更新することにより各記録ユニットに設定される。各記録ユニットに設定されたレジストレーション調整値は、記録処理時に参照され、レジストレーションの調整が行われる。
【００６５】
なお、複数の記録ユニットの相互の間のレジ調整は、各記録ユニット内の基準の記録ヘッドを用いて、隣接する記録ユニットの記録ヘッドのオーバーラップ部分で一方を基準ヘッド、他方を比較ヘッドとして縦横両方向のレジ調整用パターン（図示せず）を記録し、ずれ量を検出することができる。このような記録ユニット相互の間のレジ調整値は、上述した個々の記録ユニット内の複数の記録ヘッド間のレジ調整値を補正するために用いることにより、記憶装置全体としてのレジ調整を行うことが可能となる。
【００６６】
記録装置２００を設置する際にサービスマン等の設置者が上記のようなヘッド位置調整画面を用いて各記録ユニットに設定する。以降、ユーザが使用する場合は、本実施の形態で説明した様に記録ユニットに備えられている記録ヘッド構成情報とレジ調整値を取得し、レジ調整用パターンの記録を行い、記録結果から縦・横のレジ調整を行う。
【００６７】
以上、本発明の好適な実施の形態について説明したが、上記で言及した以外にも種々の変形、変更を行うことが可能である。
【００６８】
例えば、レジストレーション調整の際に記録されたレジストレーション調整用パターンをユーザ自身がチェックし、調整値を決定するものとしたが、スキャナ等の画像読み取り装置を記録装置の排紙部分に備え、記録されたレジストレーション調整用パターンを画像読取装置で自動的に読み取り調整値を決定するシステムでもよい。このようなシステムであれば、ユーザーは面倒な調整作業を行うことなく記録装置のレジストレーションを調整することが可能である。
【００６９】
また、上記実施の形態では各記録ユニットは４本の記録ヘッドを搭載したものを示したが、記録ユニット内の記録ヘッドの個数は４本に限るものではない。例えば、記録画像の階調性を高めるために淡色の記録ヘッドを追加したものでも同様の方法でレジストレーションを調整することが可能である。さらには、記録ユニット内の基準ヘッドはブラックヘッドとしたが、他のカラーヘッドであってもよい。記録ユニット内で複数のブラックヘッドを用いる構成であってもよい。記録ユニットの個数も６個に限るものではない。
【００７０】
また、インクジェット記録方式の記録装置について説明をしたが、複数の記録ユニットごとに複数のラインヘッドを有する構成のものであれば、記録方式はインクジェットに限るものではない。記録用紙もシート状の記録用紙に限らず、長尺状のラベル紙、タグ紙に対しても有効である。
【図面の簡単な説明】
【００７１】
【図１】本発明の実施の形態における記録システムの概略構成を示す図である。
【図２】情報処理装置の概略のハードウェア構成を示す図である。
【図３】図１の記録装置の一部である記録ユニットの内部構成例を示す図である。
【図４】本発明の実施の形態で用いる通信リソース情報テーブルの構成例を示す図である。
【図５】図１の記録装置を構成している各記録ユニットの位置情報の授受の様子を示す図である。
【図６】図５の記録ユニットの行方向位置情報と列方向位置情報の説明図である。
【図７】本発明の実施の形態における各記録ユニットのレジ調整の実行に際して、各記録ユニットに備えられている記録ヘッドのレジ調整値を取得すると同時に、各記録ユニットからその記録ユニットに備えられている記録ヘッドの構成情報を取得するための処理のフローチャートである。
【図８】本発明の実施の形態におけるヘッド構成情報テーブルの構成例を示す図である。
【図９】本発明の実施の形態における情報処理装置上で動作する記録プログラムまたはそのユーティリティプログラムによりヘッド位置調整画面を示す図である。
【図１０】本発明の実施の形態におけるエラーメッセージの表示例を示す図である。
【図１１】図９のヘッド位置調整画面の具体的な表示例を示す図である。
【図１２】本発明の実施の形態で用いるレジストレーション調整用パターンの全体像を示す図である。
【図１３】図１２のレジストレーション調整用パターンの一部を拡大して示した図である。
【図１４】ラインヘッド型記録ユニットにおけるヘッド幅方向（横方向）のレジストレーション調整の方法の説明図である。
【図１５】図１４に続く説明図である。
【符号の説明】
【００７２】
２０，２０Ａ〜２０Ｆ…記録ユニット
１００…情報処理装置
１０１…通信インタフェース
１１０…ディスプレイ
１１３…ハードディスク装置
１５０…制御プログラム
１６０…画面データ
２００…記録装置
２０１…メインコントローラ
２０２…センサ類
２０３…通信ドライバ
２０４…ヘッド駆動回路
２２０…搬送装置
２３１…通信リソース情報テーブル
２３２…記録ユニット接続台数
２３３…通信リソース情報
４００…位置情報テーブル
４０１…記録ユニット位置情報コマンド
４０２…行方向位置情報
４０３…列方向位置情報
５０１…ヘッド構成情報テーブル
５０３…ヘッド色情報
６０１…ヘッド位置調整画面
６０２…プロパティシート
６０３…色表示欄
６０４…レジ調整値表示欄
７００…レジストレーション調整用パターン（テストパターン）
７０１…表示画面
８００…ユニット間調整部分
８０１…ユニット内縦レジ調整部分
８０２…ユニット内横レジ調整部分
【図２】
2008001053.tif 000003
【図３】
2008001053.tif 000004
【図４】
2008001053.tif 000005
【図６】
2008001053.tif 000006
【図７】
2008001053.tif 000007
【図８】
2008001053.tif 000008
【図９】
2008001053.tif 000009
【図１０】
2008001053.tif 000010
【図１１】
2008001053.tif 000011
【図１】
2008001053.tif 000012
【図５】
2008001053.tif 000013
【図１２】
2008001053.tif 000014
【図１３】
2008001053.tif 000015
【図１４】
2008001053.tif 000016
【図１５】
2008001053.tif 000017